(57)【要約】【課題】熱源ユニットに複数の利用ユニットを接続して同時に冷房を行うか又は同時に暖房を行うことができる給湯空調システムにおいて、給湯を常時行うことができるようにする。【解決手段】熱源ユニット２０は、第１出入口部２６から低圧冷媒を供給して第２出入口部２７から低圧冷媒を戻すか又は第２出入口部２７から高圧冷媒を供給して第１出入口部２６から高圧冷媒を戻すかを切り換えられるように構成されている。給湯ユニット４０は、１つの第１ポート２６ｃと１つの第２ポート２７ｃに接続され、第１出入口部２６と第２出入口部２７を出入する冷媒と水との間で熱交換を行わせる水-冷媒熱交換器４１を有する。燃焼加熱器６０は、給湯ユニット４０に内蔵され、水-冷媒熱交換器４１を経由して給湯する水を加熱する燃焼式バーナ６１を含む。【選択図】図１
2017198414.tif 000002
【特許請求の範囲】
【請求項１】
圧縮機（２１）、サイクル切換機構（２２）、熱源熱交換器（２３）、第１出入口部（２６）及び第２出入口部（２７）を有し、前記サイクル切換機構により前記圧縮機と前記熱源熱交換器を通過する冷媒の流路を切り換えて前記第１出入口部から低圧冷媒を供給して前記第２出入口部から低圧冷媒を戻すか又は前記第２出入口部から高圧冷媒を供給して前記第１出入口部から高圧冷媒を戻すかを切り換えられるように構成され、前記第１出入口部に並列に複数の第１ポート（２６ａ〜２６ｅ）が配置され、前記第２出入口部に並列に複数の第２ポート（２７ａ〜２７ｅ）が配置されている熱源ユニット（２０）と、
前記第１出入口部の１つの前記第１ポートと前記第２出入口部の１つの前記第２ポートに接続され、前記第１出入口部と前記第２出入口部を出入する冷媒と空気との間で熱交換を行わせる空気-冷媒熱交換器（３１）を有する冷暖房ユニット（３０）と、
前記第１出入口部の他の１つの前記第１ポートと前記第２出入口部の他の１つの前記第２ポートに接続され、前記第１出入口部と前記第２出入口部を出入する冷媒と水との間で熱交換を行わせる水-冷媒熱交換器（４１）を有する給湯ユニット（４０）と、
前記給湯ユニットに内蔵されるか又は前記給湯ユニットに連結され、前記給湯ユニットを経由して給湯する水の温度を上昇させるための燃焼式バーナ（６１）を含む燃焼加熱器（６０）と
を備える、給湯空調システム。
【請求項２】
前記熱源ユニットは、前記第１出入口部の複数の前記第１ポートの各々に開度可変の電動弁（２４ａ〜２４ｅ）が設けられている、
請求項１に記載の給湯空調システム。
【請求項３】
前記熱源ユニットは、冷房サイクル運転時には、前記給湯ユニットが接続されている前記第１ポート及び／又は前記第２ポートを閉じることができるように構成されている、
請求項２に記載の給湯空調システム。
【請求項４】
前記熱源ユニットは、暖房サイクル運転時であって且つ前記給湯ユニットの給湯が不要なときに、前記給湯ユニットが接続されている前記第１ポートの前記電動弁を所定開度だけ開くことができるように構成されている、
請求項３に記載の給湯空調システム。
【発明の詳細な説明】
【技術分野】
【０００１】
本発明は、空調と給湯とを同時に行うことが可能な給湯空調システムに関する。
【背景技術】
【０００２】
従来から、特許文献１（特開２０００−５５４４５号公報）に記載されているように、多数のポートを持つ１台の熱源ユニットに複数の利用ユニットを接続して空調を行うことができるように構成されている空調システムがある。このような空調システムでは、同時に複数の利用側ユニットから１台の熱源ユニットに熱を移動させて、複数の利用側ユニットを使って複数個所で同時に冷房を行わせることができる。また、このような空調システムでは、１台の熱源ユニットから同時に複数の利用側ユニットに熱を移動させて、複数の利用側ユニットを使って複数個所で同時に暖房を行わせることができる。さらに、また、暖房時にのみ用いられる床暖房ユニットを熱源ユニットに接続することで暖房時に床暖房ユニットを使って暖房を行わせることもできる。
【発明の概要】
【発明が解決しようとする課題】
【０００３】
しかしながら、季節に関係なく水を暖めて供給するような給湯ユニットをこのような熱源ユニットに接続した場合には、利用ユニットを使って冷房を行わせるときには給湯ユニットによる給湯ができなくなる。そのため、上述のような熱源ユニットを用いた給湯空調システムでは給湯ができない時間が生じてしまう。
【０００４】
本発明の課題は、熱源ユニットに複数の利用ユニットを接続して同時に冷房を行うか又は同時に暖房を行うことができる給湯空調システムにおいて、給湯を常時行うことができるようにすることである。
【課題を解決するための手段】
【０００５】
本発明の第１観点に係る給湯空調システムは、圧縮機、サイクル切換機構、熱源熱交換器、第１出入口部及び第２出入口部を有し、サイクル切換機構により圧縮機と熱源熱交換器を通過する冷媒の流路を切り換えて第１出入口部から低圧冷媒を供給して第２出入口部から低圧冷媒を戻すか又は第２出入口部から高圧冷媒を供給して第１出入口部から高圧冷媒を戻すかを切り換えられるように構成され、第１出入口部に並列に複数の第１ポートが配置され、第２出入口部に並列に複数の第２ポートが配置されている熱源ユニットと、第１出入口部の１つの第１ポートと第２出入口部の１つの第２ポートに接続され、第１出入口部と第２出入口部を出入する冷媒と空気との間で熱交換を行わせる空気-冷媒熱交換器を有する冷暖房ユニットと、第１出入口部の他の１つの第１ポートと第２出入口部の他の１つの第２ポートに接続され、第１出入口部と第２出入口部を出入する冷媒と水との間で熱交換を行わせる水-冷媒熱交換器を有する給湯ユニットと、給湯ユニットに内蔵されるか又は給湯ユニットに連結され、給湯ユニットを経由して給湯する水の温度を上昇させるための燃焼式バーナを含む燃焼加熱器とを備える。
【０００６】
第１観点に係る給湯空調システムによれば、第２出入口部から高圧冷媒を供給して第１出入口部に高圧冷媒を戻すときには給湯ユニットの水-冷媒熱交換器を用いて水を温めることができる。サイクル切換機構によってサイクルを切り換え、第１出入口部から低圧冷媒を供給して第２出入口部から低圧冷媒を戻すときには給湯ユニットの水-冷媒熱交換器を用いて水を温めることができないが、このときには燃焼加熱器の燃焼式バーナを使って給湯を行うことができる。このように、冷暖房ユニットに暖房を行わせるサイクルと冷房を行わせるサイクルのいずれのサイクルへの切り換えをサイクル切換機構により行っても、給湯空調システムからの給湯を行わせることができる。
【０００７】
本発明の第２観点に係る給湯空調システムは、第１観点に係る給湯空調システムにおいて、熱源ユニットは、第１出入口部の複数の第１ポートの各々に開度可変の電動弁が設けられている、ものである。
【０００８】
第２観点に係る給湯空調システムによれば、冷暖房ユニットが第１ポート及び第２ポートに接続されれば第１ポートの電動弁を用いて冷暖房ユニットと圧縮機と熱源熱交換器を循環する冷媒で冷凍サイクルを行って冷暖房ができるので、例えば第１ポートと第２ポートが３つ以上ある場合などには、任意に冷暖房ユニット及び給湯ユニットの台数を変更できる。
【０００９】
本発明の第３観点に係る給湯空調システムは、第２観点に係る給湯空調システムにおいて、熱源ユニットは、冷房サイクル運転時には、給湯ユニットが接続されている第１ポート及び／又は第２ポートを閉じることができるように構成されている、
第３観点に係る給湯空調システムによれば、冷房サイクル運転時には第１出入口部から出て第２出入口部に戻る冷媒が冷たいものとなるが、冷房サイクル運転時には、給湯ユニットが接続されている第１ポート及び／又は第２ポートを閉じることができることから、冷たい冷媒が給湯ユニットに供給されるのを防ぐことができる。
【００１０】
本発明の第４観点に係る給湯空調システムは、第３観点に係る給湯空調システムにおいて、熱源ユニットは、給湯ユニットの給湯が不要なときに、給湯ユニットが接続されている第１ポートの電動弁を所定開度だけ開くことができるように構成されている、ものである。
【００１１】
第４観点に係る給湯空調システムによれば、電動弁を所定開度だけ開いて冷媒を給湯ユニットに少しだけ流すことで、水‐冷媒熱交換器内に冷媒が滞留するのを防止することができる。
【発明の効果】
【００１２】
本発明の第１観点に係る給湯空調システムでは、熱源ユニットに複数の利用ユニットを接続して同時に冷房を行うか又は同時に暖房を行うことができる給湯空調システムにおいて、給湯を常時行うことができる。
【００１３】
本発明の第２観点に係る給湯空調システムでは、冷暖房ユニット及び給湯ユニットの台数を任意に変更でき、システム構築の自由度が増す。
【００１４】
本発明の第３観点に係る給湯空調システムでは、冷房サイクル運転時における給湯ユニットでの熱の損失を防止して給湯ユニットでエネルギー効率が低下するのを防ぐことができる。
【００１５】
本発明の第４観点に係る給湯空調システムでは、水‐冷媒熱交換器内に冷媒が滞留することに起因する圧縮機の故障を防ぐことができる。
【図面の簡単な説明】
【００１６】
【図１】実施形態に係る給湯空調システムの構成を示す回路図。
【図２】給湯空調システムの熱源ユニットの外観を示す斜視図。
【図３】熱源ユニットの第１出入口部及び第２出入口部を示す斜視図。
【図４】給湯空調システムの制御系統を示すブロック図。
【図５】変形例１Ａに係る給湯空調システムの構成を示す回路図。
【図６】変形例１Ｂに係る給湯空調システムの構成を示す回路図。
【図７】変形例１Ｃに係る給湯空調システムの構成を示す回路図。
【図８】変形例１Ｄに係る給湯空調システムの構成を示す回路図。
【発明を実施するための形態】
【００１７】
（１）全体構成
（１−１）給湯空調システムの冷媒回路
本発明の一実施形態に係る給湯空調システムの全体構成について図１を用いて説明する。図１には、給湯空調システムの冷媒回路が示されている。給湯空調システム１０は、マルチ型の給湯空調システムであって、１台の熱源ユニット２０に対して２台の冷暖房ユニット３０と１台の給湯ユニット４０が並列に接続される構成となっている。なお、熱源ユニット２０には、他の冷暖房ユニット３０、給湯ユニット４０及び床暖房ユニットなどの利用側ユニットがさらに２台接続できるが、ここでは記載を省略している。
【００１８】
ここでは、２台の冷暖房ユニット３０が１台の熱源ユニット２０に接続されている例が示されているが、後述する液管接続口やガス管接続口の数の設定を変えれば、接続できる冷暖房ユニット３０や給湯ユニット４０の台数の上限値は変更することができる。また、冷暖房ユニット３０や給湯ユニット４０以外に、水-冷媒熱交換器と床に温水を通す配管とを有する床暖房ユニットを接続することもできる。また、この実施形態のように構成されている給湯空調システム１０でも、常に１台の熱源ユニット２０に３台以上の冷暖房ユニット３０と給湯ユニット４０を接続しなければならない訳ではなく、ポート数以内であれば何台でも接続が可能である。接続される冷暖房ユニット３０と給湯ユニット４０の合計がポート数を下回って第１ポート２６ａ〜２６ｅと第２ポート２７ａ〜２７ｅのうちの冷暖房ユニット３０や給湯ユニット４０が接続されないものが生じるときには、接続されないものは閉鎖される。
【００１９】
給湯空調システム１０の冷媒回路１１は、圧縮機２１、四路切換弁２２、熱源熱交換器２３、５つの電動弁２４及び、空気-冷媒熱交換器３１又は水-冷媒熱交換器４１が順に接続されたものである。この冷媒回路１１では、蒸気圧縮式の冷凍サイクルが行なわれる。冷媒回路１１は、さらに詳細に見ると、熱源ユニット２０の中に形成される熱源側冷媒回路１２と冷暖房ユニット３０の中に形成される利用側冷媒回路１３ａとが、又は熱源側冷媒回路１２と給湯ユニット４０の中に形成される利用側冷媒回路１３ｂとが、接続部２０ａによって並列に接続された構成になっている。
【００２０】
熱源ユニット２０の熱源側冷媒回路１２と２つの冷暖房ユニット３０の利用側冷媒回路１３ａとの間は２本の液側冷媒連絡配管１７ａ及び２本のガス側冷媒連絡配管１７ｂにより接続されている。同様に、熱源側冷媒回路１２と給湯ユニット４０の利用側冷媒回路１３ｂとの間も他の液側冷媒連絡配管１７ａ及び他のガス側冷媒連絡配管１７ｂにより接続されている。
【００２１】
ガス側冷媒連絡配管１７ｂは、熱源ユニット２０の第２出入口部２７に接続され、３本のガス側冷媒連絡配管１７ｂの一端は、第２出入口部２７の３つの第２ポート２７ａ〜２７ｃに接続されている。第２出入口部２７では、５つの第２ポート２７ａ〜２７ｅが１本にまとめられて、ガス側閉鎖弁１８を介してその１本のガス管が四路切換弁２２に接続される。
【００２２】
液側冷媒連絡配管１７ａは、熱源ユニット２０の第１出入口部２６に接続され、３本の液側冷媒連絡配管１７ａの一端は、第１出入口部２６の３つの第１ポート２６ａ〜２６ｃに接続されている。第１出入口部２６では、５つの第１ポート２６ａ〜２６ｅがそれぞれ５つの電動弁２４ａ〜２４ｅの一端側に接続され、５つの電動弁２４ａ〜２４ｅの他端側がまとめて１本の液管に接続されている。第１出入口部２６においては、液側閉鎖弁１９を介して５つの電動弁２４ａ〜２４ｅの他端側に接続される１本の液管が熱源熱交換器２３の他端側に接続されている。この熱源熱交換器２３の一端側は四路切換弁２２に接続されている。
【００２３】
（１−２）熱源ユニットの構成
熱源ユニット２０が備える熱源側冷媒回路１２には、圧縮機２１、四路切換弁２２、熱源熱交換器２３、電動弁２４が含まれている。また、熱源ユニット２０には、圧縮機２１や四路切換弁２２や５つの電動弁２４ａ〜２４ｅや熱源側ファン２５（図４参照）などの熱源ユニット２０内の機器の動作を制御する熱源側制御部２８が設けられている。熱源側制御部２８は、配線群１５によって利用側制御部３２ａ，３２ｂと接続されている。
【００２４】
（１−２−１）熱源ユニットの外観
図２は、熱源ユニット２０の正面側の右斜め上方から見た外観を示す斜視図である。熱源ユニット２０は、ケーシング２９と出入口部カバー２９ｇとを備えている。ケーシング２９は、前板２９ａと天板２９ｂと右側板２９ｃと左側板（図示せず）と底板（図示せず）とを備えている。また、ケーシング２９の前板２９ａには、開口部２９ｅの前に、熱源側ファン２５のプロペラ２９ｆをカバーするためのグリル２９ｄが取り付けられている。出入口部カバー２９ｇは、接続部２０ａを覆うための樹脂製の筐体である。図１に示されているように、出入口部カバー２９ｇ内には、ガス側閉鎖弁１８、液側閉鎖弁１９、第２出入口部２７、第１出入口部２６、電動弁２４及び配線群１５の一部が収納されている。
【００２５】
（１−２−２）接続部
図３には、接続部２０ａを説明するために、出入口部カバー２９ｇを外して、第２出入口部２７及び第１出入口部２６の周辺の構成を斜め後ろ上方前から見た状態が示されている。図４には、出入口部カバー２９ｇや配線群１５などが取り外された接続部２０ａが示されている。接続部２０ａにおいて、ケーシング２９に近い側に第１出入口部２６が配置され、ケーシング２９から遠い側に第２出入口部２７が配置されている。接続部２０ａは、金属板を折り曲げて形成した取付部材２９ｈを備えている。取付部材２９ｈには、高さ方向に等間隔に並べて配置されている５つの第１ポート２６ａ，２６ｂ，２６ｃ，２６ｄ，２６ｅが取り付けられ、高さ方向に等間隔に並べて配置されている５つの第２ポート２７ａ，２７ｂ，２７ｃ，２７ｄ，２７ｅが取り付けられている。５つの第１ポート２６ａ，２６ｂ，２６ｃ，２６ｄ，２６ｅには、５つの電動弁２４ａ，２４ｂ，２４ｃ，２４ｄ，２４ｅがそれぞれ取り付けられている。
【００２６】
（１−３）冷暖房ユニットの構成
冷暖房ユニット３０は、それぞれ、利用側冷媒回路１３ａを構成する空気-冷媒熱交換器３１と利用側ファン３３（図４参照）とを備えている。利用側ファン３３は、空気-冷媒熱交換器３１で冷媒と熱交換される空気の流れを発生させる。利用側ファン３３は、気流の速度を変化させるため、ファンの回転速度を変更することができるように構成されている。この利用側ファン３３などの冷暖房ユニット３０内の機器の動作を制御する利用側制御部３２ａが設けられている。
【００２７】
（１−４）給湯ユニットの構成
給湯ユニット４０は、利用側冷媒回路１３ｂを構成する水-冷媒熱交換器４１と、循環ポンプ４２と、貯湯タンク４４とを備えている。給湯ユニット４０は、燃焼式バーナ６１及び熱交換部６２を含む燃焼加熱器６０を内蔵している。また、給湯ユニット４０には、循環ポンプ４２及び燃焼式バーナ６１などの給湯ユニット４０内の機器を制御する利用側制御部３２ｂが設けられている。
【００２８】
循環ポンプ４２と水-冷媒熱交換器４１と貯湯タンク４４は、水循環流路４５に配置されている。貯湯タンク４４には、例えば市水が給水配管４６を通して給水される。給水配管４６は、貯湯タンク４４の底部４４ａに接続されている。貯湯タンク４４の内部では、密度の小さい湯が上部４４ｂに溜まり、密度の大きい冷水が底部４４ａに溜まる。給水配管４６から供給される冷水を貯湯タンク４４の底部４４ａに入れることにより、上部４４ｂの湯が、供給された冷水で冷やされるのを抑制している。循環ポンプ４２は、利用側制御部３２ｂによって制御され、循環する水の量を変更することができる。この循環ポンプ４２を停止させることにより、水循環流路４５における水の流れを止めることができる。給湯流路４７は、貯湯タンク４４の上部４４ｂから給湯するための流路である。
【００２９】
（１−５）燃焼加熱器の構成
燃焼加熱器６０は、燃焼式バーナ６１と熱交換部６２とを含んでいる。給湯流路４７を流れる水又は湯は、熱交換部６２を通過する。燃焼式バーナ６１により熱交換部６２を流れる水又は湯を加熱することができる。また、燃焼式バーナ６１をオフにすれば、給湯流路４７の水は熱交換部６２で加熱されずにそのまま通過することができるように構成されている。燃焼式バーナ６１は、例えば燃焼式のガスバーナである。給湯流路４７における燃焼加熱器６０の下流には、水道の蛇口、シャワー及びバスタブなどの給湯端末４８が接続される。
【００３０】
（１−６）給湯空調システムの制御部の構成
図４に示されている給湯空調システム１０の制御部５０は、熱源側制御部２８と利用側制御部３２ａ，３２ｂとを含んでいる。熱源側制御部２８には、熱源ユニット２０に設けられた各種温度センサ５１から熱源ユニット２０の制御に必要な熱源ユニット２０の各部の温度に関する情報が送信される。熱源ユニット２０の各部の温度に関する情報としては、例えば、熱源ユニット２０に吸込まれる外気温度の値、圧縮機２１に吸込まれる冷媒の温度の値及び圧縮機２１から吐出される冷媒の温度の値などがある。また、熱源側制御部２８には、熱源ユニット２０に設けられた各種圧力センサ５２から熱源ユニット２０の制御に必要な熱源ユニット２０の各部の冷媒の圧力に関する情報、例えば圧縮機２１から吐出される冷媒の圧力の値が送信される。さらに、熱源側制御部２８には、利用側制御部３２ａ，３２ｂから冷暖房ユニット３０及び給湯ユニット４０などの利用側ユニットに関する情報が送信される。熱源ユニット２０は、熱源側制御部２８が受信する上述の情報に基づいて、圧縮機２１の回転数、四路切換弁２２の切り換え、電動弁２４の開度の調整及び熱源側ファン２５の回転数の調整などの熱源ユニット２０の各機器の制御を行う。
【００３１】
利用側制御部３２ａには、冷暖房ユニット３０に設けられた各種温度センサ５３から冷暖房ユニット３０の各部の温度に関する情報、例えば冷暖房ユニット３０に吸込まれる空気の温度の値及び空気‐冷媒熱交換器３１を流れる冷媒に係る温度の値などが送信される。また、冷暖房ユニット３０の利用側制御部３２ａには、熱源側制御部２８から制御に関する情報が送信される。冷暖房ユニット３０は、利用側制御部３２ａが受信する上述の情報に基づいて、利用側ファン３３の回転数の調整などの冷暖房ユニット３０の各機器の制御を行う。
【００３２】
また、利用側制御部３２ｂには、給湯ユニット４０に設けられた給湯温度センサ５４及び複数の貯湯温度センサ５５などから給湯ユニット４０の各部の温度に関する情報が送信される。また、給湯ユニット４０の利用側制御部３２ｂには、熱源側制御部２８から制御に関する情報が送信される。給湯ユニット４０は、利用側制御部３２ｂが受信する上述の情報に基づいて、循環ポンプ４２の回転数の調整などの給湯ユニット４０の各機器の制御並びに燃焼式バーナ６１のオンオフ及び火力の調整などの燃焼加熱器６０の制御を行う。
【００３３】
（２）給湯空調システムの動作
給湯空調システム１０は、四路切換弁２２が実線の接続に切り換えられた冷房サイクル運転時には、第１出入口部２６から低温の低圧冷媒を供給して第２出入口部２７から温まった低圧冷媒を戻す。逆に、四路切換弁２２が破線の接続に切り換えられた暖房サイクル運転時には、給湯空調システム１０は、第２出入口部２７から高温の高圧冷媒を供給して第１出入口部２６から冷えた高圧冷媒を戻す。
【００３４】
（２−１）冷房サイクル運転時
冷房サイクル運転時には、複数の冷暖房ユニット３０において空気−冷媒熱交換器３１で利用側ファン３３の送風する例えば室内空気から熱を奪って蒸発した冷媒が第２出入口部２７に並列に配置されている第２ポート２７ａ，２７ｂからそれぞれ戻ってくる。第２ポート２７ａ，２７ｂから戻ってきた冷媒は、四路切換弁２２を経由して圧縮機２１に吸入され、圧縮機２１で圧縮される。そして、圧縮機２１で圧縮された冷媒は、四路切換弁２２を経由して熱源熱交換器２３に入る。熱源熱交換器２３に入ったガス冷媒は、熱源熱交換器２３で例えば室外空気に熱を与えて凝縮した後に電動弁２４ａ，２４ｂを経由して膨張されて、第１出入口部２６に並列に配置されている第１ポート２６ａ，２６ｂから複数の冷暖房ユニット３０に供給される。第１ポート２６ａ，２６ｂから供給された冷媒は、各空気−冷媒熱交換器３１に入る。
【００３５】
また、冷房サイクル運転時には、水−冷媒熱交換器４１で循環ポンプ４２が循環させる水から熱を奪った冷媒が第２出入口部２７に並列に配置されている第２ポート２７ｃから戻ってこないように、電動弁２４ｃが閉じられる。電動弁２４が閉じられることにより、利用側冷媒回路１３ｂの中を冷媒が流れないので、熱源熱交換器２３で冷やされた冷媒が水‐冷媒熱交換器４１に流れるのを防ぐことができる。この場合、水‐冷媒熱交換器４１で貯湯タンク４４に貯める水を温めることができないので、貯湯タンク４４に溜まっている水の温度は設定温度よりも低くなっている。この場合に、給湯端末４８に設定温度の湯を供給するよう要求があったときには、利用側制御部３２ｂは、貯湯タンク４４から給湯流路４７を通って給湯端末４８に供給する湯を燃焼加熱器６０によって設定温度まで暖める。利用側制御部３２ｂは、給湯端末４８から供給される湯の温度が設定温度になるように、燃焼式バーナ６１のオンオフ及び火力の制御を行う。
【００３６】
（２−２）暖房サイクル運転時
暖房サイクル運転時には、複数の冷暖房ユニット３０において空気−冷媒熱交換器３１で利用側ファン３３の送風する例えば室内空気に熱を与えた冷媒が第１出入口部２６に並列に配置されている第１ポート２６ａ，２６ｂからそれぞれ戻ってくる。第１ポート２６ａ，２６ｂから戻ってきた冷媒は、電動弁２４ａ，２４ｂを経由して膨張されて熱源熱交換器２３に入る。熱源熱交換器２３で例えば室外空気から熱を奪って蒸発した冷媒は、四路切換弁２２を経由して圧縮機２１に吸入され、圧縮機２１で圧縮される。そして、圧縮機２１で圧縮された冷媒は、四路切換弁２２を経由して、第２出入口部２７に並列に配置されている第２ポート２７ａ，２７ｂから複数の冷暖房ユニット３０に供給される。第２ポート２７ａ，２７ｂから供給された冷媒は、各空気−冷媒熱交換器３１に入る。
【００３７】
また、暖房サイクル運転時には、水−冷媒熱交換器４１で循環ポンプ４２が循環させる水に熱を与えて凝縮した冷媒が第１出入口部２６に並列に配置されている第１ポート２６ｃから戻ってくる。第１ポート２６ｃから戻ってきた冷媒は、電動弁２４ｃを経由して膨張されて、第１ポート２６ａ，２６ｂから戻ってきた冷媒と一緒に熱源熱交換器２３に入る。そして、熱源熱交換器２３を出た冷媒は、四路切換弁２２を経由して圧縮機２１に吸入され、圧縮機２１で圧縮される。そして、圧縮機２１で圧縮された冷媒は、第２出入口部２７に並列に配置されている第２ポート２７ｃから給湯ユニット４０に供給される。第２ポート２７ｃから供給された冷媒は、水−冷媒熱交換器４１に入る。
【００３８】
水−冷媒熱交換器４１には、循環ポンプ４２により、貯湯タンク４４の底部４４ａから上部４４ｂに向かって水循環流路４５を通って水が流れている。水−冷媒熱交換器４１では、高温の高圧冷媒によって水循環流路４５を流れる水が温められる。水−冷媒熱交換器４１で温められた水は、貯湯タンク４４の上部４４ｂから貯められていく。貯湯タンク４４に貯められる水の温度は、利用側制御部３２ｂによって管理されており、ユーザによって設定されている設定温度に保たれる。そして、給湯端末４８に設定温度の湯を供給するよう要求があったとき、利用側制御部３２ｂは、貯湯タンク４４から給湯流路４７を通って給湯端末４８に供給するが、このときには燃焼式バーナ６１はオフ状態になっている。
【００３９】
しかし、水−冷媒熱交換器４１だけでは給湯端末４８に設定温度の湯を供給するのに熱量が不足するときには、利用側制御部３２ｂは、燃焼式バーナ６１をオンして不足している熱量を燃焼加熱器６０によって補う。
【００４０】
また、給湯の要求がないとき（給湯が不要なとき）には、給湯ユニット４０が接続されている第１ポート２６ｃの電動弁２４ｃを所定開度だけ開くことができるように構成されてもよい。給湯の要求がないために冷媒を循環させる必要がないときには、水‐冷媒熱交換器４１の内部に冷媒が滞留して圧縮機２１の故障が発生することがある。そこで、利用側制御部３２ｂは、例えば、給湯の要求がないときに、熱源側制御部２８に電動弁２４ｃを所定開度だけあけるように命令を送るように構成されてもよい。
【００４１】
（３）変形例
（３−１）変形例１Ａ
上記実施形態では、燃焼加熱器６０が給湯ユニット４０に内蔵されている場合について説明したが、図５に示されているように、燃焼加熱器６０を給湯ユニット４０に連結するようにしてもよい。
【００４２】
（３−２）変形例１Ｂ
上記実施形態及び変形例１Ａでは、給水配管４６から給湯ユニット４０を経由して給湯端末４８に給湯する水を加熱する例として、貯湯タンク４４又は給湯ユニット４０の下流で、給湯ユニット４０を経由して給湯する水を燃焼加熱器６０によって加熱する場合について説明した。しかし、給湯ユニット４０を経由して給湯する水を加熱する場所は、貯湯タンク４４の下流に限られない。例えば、給湯ユニット４０を経由して給湯する水を加熱する場所は、図６に示されているように、水‐冷媒熱交換器４１と貯湯タンク４４の間であってもよい。その場合には、燃焼加熱器６０は、水循環流路４５に挿入される。また、図６には、給湯ユニット４０に燃焼加熱器６０が連結される例が示されているが、燃焼加熱器６０は、給湯ユニット４０に内蔵されて、水循環流路４５に挿入され、水‐冷媒熱交換器４１と貯湯タンク４４の間で、給湯ユニット４０を経由して給湯する水を燃焼加熱器６０によって加熱するように構成することもできる。
【００４３】
（３−３）変形例１Ｃ
上記変形例１Ｂでは、給湯ユニット４０を経由して給湯する水を加熱する場所が、水‐冷媒熱交換器４１と貯湯タンク４４の間である場合について説明したが、図７に示されているように構成することもできる。すなわち、貯湯タンク４４から直接水を取り出して燃焼加熱器６０で加熱した後、燃焼加熱器６０で加熱した水を貯湯タンク４４に直接戻すように構成してもよい。また、図７には、給湯ユニット４０に燃焼加熱器６０が内蔵されている例が示されているが、燃焼加熱器６０は、給湯ユニット４０に連結されて、給湯ユニット４０の貯湯タンク４４から直接水を取り出して燃焼加熱器６０で加熱した後、燃焼加熱器６０で加熱した水を給湯ユニット４０の貯湯タンク４４に直接戻すように構成することもできる。
【００４４】
（３−４）変形例１Ｄ
上記実施形態では、液側閉鎖弁１９及びガス側閉鎖弁１８が１つずつ設けられる場合について説明したが、図８に示されているように、第１出入口部２６の第１ポート２６ａ，２６ｂ，２６ｃ，２６ｄ，２６ｅにそれぞれ対応するように液側閉鎖弁１９ａ，１９ｂ，１９ｃ，１９ｄ，１９ｅを設けてもよい。また、第２出入口部２７の第２ポート２７ａ，２７ｂ，２７ｃ，２７ｄ，２７ｅにそれぞれ対応するようにガス側閉鎖弁１８ａ，１８ｂ，１８ｃ，１８ｄ，１８ｅを設けてもよい。また、上記変形例１Ａ〜１Ｃの給湯空調システム１０についても図８を用いて説明したように、５つの第１ポート２６ａ〜２６ｅに対応して５つの液側閉鎖弁を設け、５つの第２ポート２７ａ〜２７ｅに対応して５つのガス側閉鎖弁を設けるように変更することも可能である。
【００４５】
（３−４）変形例１Ｅ
上記実施形態では、給湯ユニット４０を経由して給湯する水を燃焼加熱器６０の燃焼式バーナ６１で直接加熱して水の温度を上昇させる場合について説明したが、燃焼加熱器６０の燃焼式バーナ６１で沸かした高温の湯を、給湯ユニット４０を経由して給湯する水に混ぜることにより、給湯ユニット４０を経由して給湯する水の温度を上昇させるように構成してもよい。例えば、給湯空調システム１０に混合弁を設けて、給湯ユニット４０を経由して給湯する水に対して燃焼加熱器６０の燃焼式バーナ６１で沸かした高温の湯を混合弁によって混ぜられるようにすればそのような構成を得ることができる。
【００４６】
（４）特徴
（４−１）
上記実施形態及び変形例１Ａ〜１Ｅの給湯空調システム１０においては、四路切換弁２２（サイクル切換機構の例）を切り換えて暖房サイクル運転をしているときには、第２出入口部２７の第２ポート２７ａ，２７ｂ，２７ｃから高温の高圧冷媒を冷暖房ユニット３０及び給湯ユニット４０に供給し、冷暖房ユニット３０及び給湯ユニット４０から冷えた高圧冷媒を第１出入口部２６の第１ポート２６ａ，２６ｂ，２６ｃに戻すことができる。このとき、冷暖房ユニット３０で暖房を行うことができると同時に、給湯ユニット４０では、水‐冷媒熱交換器４１により第１ポート２６ｃから供給される高温の高圧冷媒と水との間で熱交換が行われ、水‐冷媒熱交換器４１を用いて暖められた水を循環ポンプ４２により貯湯タンク４４に貯めることができる。
【００４７】
四路切換弁２２によって冷房サイクル運転に切り換えたときには、第１出入口部２６の第１ポート２６ａ，２６ｂから低温の低圧冷媒が冷暖房ユニット３０に供給され、冷暖房ユニット３０から温まった低圧冷媒が第２出入口部２７の第２ポート２７ａ，２７ｂに戻ってくることになる。従って、冷房サイクル運転では、給湯ユニット４０の水-冷媒熱交換器４１を用いて水を温めることができない。しかし、冷房サイクル運転において、給湯ユニット４０では、燃焼加熱器６０の燃焼式バーナ６１により設定温度まで温められた湯を使って給湯を行うことができる。このように、冷暖房ユニット３０に暖房を行わせる暖房サイクル運転時及び冷房を行わせる冷房サイクル運転時のいずれのサイクルにおいても、給湯空調システム１０において給湯が行え、上述のような構成を持つ熱源ユニット２０を使っても給湯を常時行うことができるようになる。
【００４８】
（４−２）
冷暖房ユニット３０が例えば第１ポート２６ｄ及び第２ポート２７ｄに接続されれば第１ポート２６ｄの電動弁２４ｄを用いて冷暖房ユニット３０と圧縮機２１と熱源熱交換器２３を循環する冷媒で冷凍サイクルを行って冷暖房ができる。第１実施形態のように、第１ポート２６ａ〜２６ｅと第２ポート２７ａ〜２７ｄのように各ポートが３つ以上ある場合などには、任意に冷暖房ユニット３０及び給湯ユニット４０の台数を変更できる。上記実施形態では、給湯ユニット４０が１台だけ接続されていたが、給湯ユニット４０を複数台接続することも可能である。このように熱源ユニット２０に接続する冷暖房ユニット３０及び給湯ユニット４０の台数を任意に変更できれば、給湯空調システム１０のシステム構築を行う際の自由度が増す。
【００４９】
（４−３）
上述の実施形態及び変形例１Ａ〜１Ｃの給湯空調システム１０における熱源ユニット２０は、冷房サイクル運転時には、給湯ユニット４０が接続されている第１ポート２６ｃの電動弁２４ｃを、制御部５０により閉じることができるように構成されている。このような構成により、冷房サイクル運転時には第１出入口部２６から出て第２出入口部２７に戻る冷媒が冷たいものとなるので、冷房サイクル運転時には、給湯ユニット４０が接続されている第１ポート２６ｃの電動弁２４ｃを閉じることで、冷たい冷媒が給湯ユニット４０に供給されるのを防ぐことができる。その結果、冷房サイクル運転時における給湯ユニット４０での熱の損失を防止して給湯ユニット４０でエネルギー効率が低下するのを防ぐことができる。
【００５０】
また、変形例１Ｄの給湯空調システム１０における熱源ユニット２０は、冷房サイクル運転時には、給湯ユニット４０が接続されている第１ポート２６ｃの液側閉鎖弁１９ｃ及び／又はガス側閉鎖弁１８ｃを閉じることができるように構成されている。このような構成により、冷房サイクル運転時には第１出入口部２６から出て第２出入口部２７に戻る冷媒が冷たいものとなるが、冷房サイクル運転時には、給湯ユニット４０が接続されている第１ポート２６ｃ及び／又は第２ポート２７ｃを閉じることで、冷たい冷媒が給湯ユニット４０に供給されるのを防ぐことができる。その結果、冷房サイクル運転時における給湯ユニット４０での熱の損失を防止して給湯ユニット４０でエネルギー効率が低下するのを防ぐことができる。
【００５１】
（４−４）
熱源ユニット２０が、給湯ユニット４０の給湯が不要なときに、給湯ユニット４０が接続されている第１ポート２６ｃの電動弁２４ｃを所定開度だけ開くことができるように構成されていると、電動弁２４ｃを所定開度だけ開いて冷媒を給湯ユニット４０に少しだけ流すことで、水‐冷媒熱交換器４１内に冷媒が滞留して圧縮機２１の故障が発生することを防止できる。
【符号の説明】
【００５２】
１０  給湯空調システム
２０  熱源ユニット
２１  圧縮機
２２  四路切換弁（サイクル切換機構の例）
２３  熱源熱交換器
２４，２４ａ〜２４ｅ  電動弁
２６  第１出入口部
２７  第２出入口部
３０  冷暖房ユニット
３１  空気‐冷媒熱交換器
４０  給湯ユニット
４１  水‐冷媒熱交換器
６０  燃焼加熱器
６１  燃焼式バーナ
【先行技術文献】
【特許文献】
【００５３】
【特許文献１】特開２０００−５５４４５号公報
【図１】
2017198414.tif 000003
【図２】
2017198414.tif 000004
【図３】
2017198414.tif 000005
【図４】
2017198414.tif 000006
【図５】
2017198414.tif 000007
【図６】
2017198414.tif 000008
【図７】
2017198414.tif 000009
【図８】
2017198414.tif 000010